(57)【要約】【課題】弾性を有する樹脂製の保持器で、金型が引き抜かれるときに口径が拡がった口辺部から、ボールを容易にポケットへ組み込むことができるようにすることである。【解決手段】成形した金型が引き抜かれる側の環状板部３ａの各ポケット４間の幅端面に、ポケット４の口辺部５ａへ向かって下降する突起７を設けることにより、金型の引き抜きでダレ６が生じた側の保持器３の幅端面を上に向けて、環状板部３ａの各ポケット４間に載せられたボール２が自然に転がってポケット４の位置へ移動するようにし、金型が引き抜かれるときに口径が拡がった口辺部５ａから、ボール２を容易にポケット４へ組み込むことができるようにした。【選択図】図２
2007107567.tif 000002
【特許請求の範囲】
【請求項１】
一対の軌道輪の対向面に設けた軌道溝間に、複数のボールを弾性を有する樹脂製保持器に保持し、この樹脂製保持器を、環状板部に前記ボールを収容する複数のポケットを形成し、これらのポケットの縦断面を両端の口辺部が狭まる中凹形状とするように金型で成形して、成形した金型をポケットから保持器のいずれか一方の幅端面側へ引き抜くようにしたスラスト玉軸受において、前記成形した金型が引き抜かれる側の前記環状板部の各ポケット間の幅端面に、前記ポケットの口辺部へ向かって下降する突起を設けたことを特徴とするスラスト玉軸受。
【請求項２】
前記環状板部の内外周縁に、前突起を設けた側の幅端面から突出する鍔を設けた請求項１に記載のスラスト玉軸受。
【発明の詳細な説明】
【技術分野】
【０００１】
本発明は、保持器を環状板部にボールを収容する複数のポケットを設けた弾性を有する樹脂製保持器とし、各ポケットの縦断面を両端の口辺部が狭まる中凹形状とするように金型で成形したスラスト玉軸受に関する。
【背景技術】
【０００２】
一対の軌道輪の対向面に設けた軌道溝間に複数のボールを保持器で保持したスラスト玉軸受には、保持器を環状板部にボールを収容する複数のポケットを設けた弾性を有する樹脂製保持器とし、各ポケットの縦断面を両端の口辺部が狭まる中凹形状とするように金型で成形して、金型の離型と、各ポケットへのボールの組み込みを可能としたものがある（例えば、特許文献１参照）。
【０００３】
【特許文献１】実公平７−２９２９９号公報（第１−７図）
【発明の開示】
【発明が解決しようとする課題】
【０００４】
特許文献１に記載されたスラスト玉軸受のように、保持器を環状板部にボールを収容する複数のポケットを設けた弾性を有する樹脂製保持器とし、各ポケットの縦断面を両端の口辺部が狭まる中凹形状とするように金型で成形したものでは、縦断面を中凹形状に成形した金型を離型の際にポケットから引き抜くときに、金型が引き抜かれる側のポケットの口辺部にダレが生じることがある。
【０００５】
この金型が引き抜かれてダレが生じたポケットの口辺部は、反対側の口辺部よりも口径が拡がるので、各ポケットに収容されるボールは、この口径の拡がった口辺部側からポケットに組み込まれる。このボールのポケットへの組み込みに際しては、ダレが生じた側の保持器の幅端面を上に向けて、環状板部の各ポケット間に載せたボールが自然にポケットの位置へ移動するようにすれば、ボールを容易にポケットへ組み込むことができる。しかしながら、環状板部の各ポケット間の幅端面は平坦であるので、ボールがポケットの位置へ移動せず、一つ一つのボールをポケットの位置へ手で移動させる必要があり、ボールの組み込みに手間がかかる問題がある。
【０００６】
そこで、本発明の課題は、弾性を有する樹脂製の保持器で、金型が引き抜かれるときに口径が拡がった口辺部から、ボールを容易にポケットへ組み込むことができるようにすることである。
【課題を解決するための手段】
【０００７】
上記の課題を解決するために、本発明は、一対の軌道輪の対向面に設けた軌道溝間に、複数のボールを弾性を有する樹脂製保持器に保持し、この樹脂製保持器を、環状板部に前記ボールを収容する複数のポケットを形成し、これらのポケットの縦断面を両端の口辺部が狭まる中凹形状とするように金型で成形して、成形した金型をポケットから保持器のいずれか一方の幅端面側へ引き抜くようにしたスラスト玉軸受において、前記成形した金型が引き抜かれる側の前記環状板部の各ポケット間の幅端面に、前記ポケットの口辺部へ向かって下降する突起を設けた構成を採用した。
【０００８】
すなわち、成形した金型が引き抜かれる側の環状板部の各ポケット間の幅端面に、ポケットの口辺部へ向かって下降する突起を設けることにより、金型の引き抜きでダレが生じた側の保持器の幅端面を上に向けて、環状板部の各ポケット間に載せられたボールが自然に転がってポケットの位置へ移動するようにし、金型が引き抜かれるときに口径が拡がった口辺部から、ボールを容易にポケットへ組み込むことができるようにした。
【０００９】
前記環状板部の内外周縁に、前記突起を設けた側の幅端面から突出する鍔を設けることにより、ボールが環状板部の内外周縁から落下するのを防止して、よりスムーズにボールをポケットの位置へ移動させることができる。
【発明の効果】
【００１０】
本発明のスラスト玉軸受は、成形した金型が引き抜かれる側の環状板部の各ポケット間の幅端面に、ポケットの口辺部へ向かって下降する突起を設けることにより、金型の引き抜きでダレが生じた側の保持器の幅端面を上に向けて、環状板部の各ポケット間に載せられたボールが自然に転がってポケットの位置へ移動するようにしたので、金型が引き抜かれるときに口径が拡がった口辺部から、ボールを容易にポケットへ組み込むことができる。
【００１１】
前記環状板部の内外周縁に、突起を設けた側の幅端面から突出する鍔を設けることにより、ボールが環状板部の内外周縁から落下するのを防止して、よりスムーズにボールをポケットの位置へ移動させることができる。
【発明を実施するための最良の形態】
【００１２】
以下、図面に基づき、本発明の実施形態を説明する。このスラスト玉軸受は、図１に示すように、一対の軌道輪１の対向面に設けた軌道溝１ａ間に、複数のボール２を弾性を有する樹脂製保持器３に保持したものである。
【００１３】
図２（ａ）、（ｂ）に示すように、前記保持器３は、環状板部３ａにボール２を収容する複数のポケット４を形成し、各ポケット４の縦断面を両端の口辺部５ａ、５ｂが狭まる中凹形状とするように金型で成形したものであり、成形した金型が引き抜かれたポケット４の一方の口辺部５ａにダレ６が生じて、その口径が反対側の口辺部５ｂの口径よりも拡がっている。
【００１４】
図２（ａ）、（ｃ）に示すように、前記金型が引き抜かれてポケット４の口辺部５ａにダレ６が生じた側の環状板部３ａの各ポケット４の間には、両側のポケット４の口辺部５ａに向かって下降する角錐状の突起７が設けられている。また、環状板部３ａの内外周縁には、保持器３の両幅端面から突出し、突起７よりも高い鍔８が設けられている。したがって、前記ダレ６が生じた側の保持器３の幅端面を上に向けて、環状板部３ａの各ポケット４間に載せられたボール２が両側の鍔８に案内されて、自然に転がってポケット４の位置へ移動するので、ボール２を容易にポケット４へ組み込むことができる。なお、鍔８は突起７を設けた側のみに突出させてもよく、その高さは突起７より低くしてもよい。
【００１５】
図３乃至図５は、前記突起７の変形例を示す。図３（ａ）、（ｂ）は椀状の突起７、図４（ａ）、（ｂ）は角段丘状の突起７、図５（ａ）、（ｂ）は丸段丘状の突起７であり、いずれの突起７の中心もポケット４間の中心に設けられ、両側のポケット４の口辺部５ａに向かって下降するようになっている。
【００１６】
上述した実施形態と各変形例では、突起の中心をポケット間の中心に設けて、両側のポケットの口辺部に向かって下降するものとしたが、突起の中心は必ずしもポケット間の中心に設ける必要はなく、片側のポケットの口辺部のみに向かって下降するものとしてもよい。
【図面の簡単な説明】
【００１７】
【図１】スラスト玉軸受の実施形態を示す縦断面図
【図２】ａは図１の保持器を示す平面図、ｂはａのIIb−IIb線に沿った断面図、ｃはａのIIc−IIc線に沿った断面図
【図３】ａは図２の突起の変形例を示す平面図、ｂはａのIIIb−IIIb線に沿った断面図
【図４】ａは図２の突起の変形例を示す平面図、ｂはａのIVb−IVb線に沿った断面図
【図５】ａは図２の突起の変形例を示す平面図、ｂはａのVb−Vb線に沿った断面図
【符号の説明】
【００１８】
１  軌道輪
１ａ  軌道溝
２  ボール
３  保持器
３ａ  環状板部
４  ポケット
５ａ、５ｂ  口辺部
６  ダレ
７  突起
８  鍔
【図１】
2007107567.tif 000003
【図２】
2007107567.tif 000004
【図３】
2007107567.tif 000005
【図４】
2007107567.tif 000006
【図５】
2007107567.tif 000007